(57)【要約】【課題】家庭用の除湿機に使用されるヒーターへ電力を供給する複数のスイッチのＯＮ／ＯＦＦとヒーターに流れる電流からスイッチの故障を検知して使用者に知らせる装置に関する。【解決手段】複数のスイッチ２Ａ、２Ｂを順番にＯＮする毎に、電流検知センサ３によりヒーター１に電流が流れるかどうかを検知して、スイッチの溶着などの故障を判断し、異常があると判断した場合には異常報知表示手段４を動作させる制御部５とを備え、スイッチ２Ａとスイッチ２Ｂを順番にＯＮ／ＯＦＦする。スイッチ２Ａとスイッチ２ＢをＯＮ／ＯＦＦする毎にヒーター１の電流を確認することでスイッチの溶着などの故障を検知してヒーター１への電力供給を停止し、異常報知表示手段４で人に異常を知らせることができる除湿機が得られる。【選択図】図１
2008218136.tif 000002
【特許請求の範囲】
【請求項１】
ヒーターに電力を供給する複数のスイッチと、前記ヒーターに流れる電流値を検知する電流検知センサと、前記複数のスイッチに異常があることを知らせる異常報知表示手段と、前記電流検知センサにより検知された前記ヒーターに流れる電流値と前記複数のスイッチのＯＮ／ＯＦＦから前記複数のスイッチに異常があるかどうかを判断し異常があると判断した場合には前記異常報知表示手段を動作させる制御部とを備えたことを特徴とする除湿機。
【請求項２】
ヒーターの両側に電力を供給するスイッチがあることを特徴とした請求項１記載の除湿機。
【請求項３】
ヒーターの片側に電力を供給する複数のスイッチがあることを特徴とした請求項１または２記載の除湿機。
【請求項４】
ヒーターに電力を供給する複数のスイッチに常時ＯＮと常時ＯＦＦが混在することを特徴とした請求項１乃至３のいずれかに記載の除湿機。
【請求項５】
ヒーターに電力を供給する毎に複数のスイッチのＯＮする順番を変え、最後のスイッチがＯＮする前に前記ヒーターに電流が流れたことを電流検知センサで検知した場合には、前記複数のスイッチのすべてをＯＦＦし、さらに異常報知表示手段により異常を知らせることを特徴とする請求項１乃至４のいずれかに記載の除湿機。
【請求項６】
ヒーターの電力供給を停止する毎に複数のスイッチのＯＦＦする順番を変え、最初のスイッチをＯＦＦした直後に電流検知センサで検知している前記ヒーターに流れている電流値が減少しない場合は、残りのスイッチのすべてをＯＦＦし、さらに異常報知表示手段により異常を知らせることを特徴とする請求項１乃至５のいずれかに記載の除湿機。
【請求項７】
商用電源が供給された直後にヒーターに電流が流れるかどうかを判定して、電流が流れた場合には異常報知表示手段により異常を知らせることを特徴とする請求項１乃至６のいずれかに記載の除湿機。
【請求項８】
異常を知らせた後は、ヒーターに電力を供給しないようにすることを特徴とする請求項１乃至７のいずれかに記載の除湿機。
【請求項９】
電流検知センサにホールセンサを用いることを特徴とした請求項１乃至８のいずれかに記載の除湿機。
【請求項１０】
スイッチにリレーを用いることを特徴とした請求項１乃至９のいずれかに記載の除湿機。
【請求項１１】
制御部にマイコンを用いることを特徴とした請求項１乃至１０のいずれかに記載の除湿機。
【請求項１２】
異常報知表示手段にＬＥＤを用いることを特徴とする請求項１乃至１１のいずれかに記載の除湿機。
【請求項１３】
異常報知表示手段にブザーを用いることを特徴とする請求項１乃至１１のいずれかに記載の除湿機。
【発明の詳細な説明】
【技術分野】
【０００１】
本発明は、例えば、家庭用の除湿機などに使用されるヒーターなどへ電力を供給する複数のスイッチのＯＮ／ＯＦＦとヒーターなどに流れる電流からスイッチの故障を検知して使用者に知らせる装置などに関する。
【背景技術】
【０００２】
近年、ライフエンドと言う言葉が一般的に使われるようになり、製品の使用が不可能になる製品寿命まで安全に製品を使用できることが重要な要素である。しかし、ヒーターへ電力を供給するスイッチが溶着などの故障をした場合、ヒーターの温度を温度ヒューズなどの安全装置が作動する温度まで上昇させて、温度ヒューズを溶断することによりヒーターへの電力供給を停止する。
【０００３】
しかしながら、ヒーターの温度上昇を検知した場合にヒーターへの電力供給を一つのスイッチにより停止する機能と温度ヒューズなどの安全装置とを組み合わせたスイッチの制御方法は開発されているが、ヒーターに電力を供給するスイッチを複数用いてＯＮ／ＯＦＦし、ヒーターに電流がながれるかどうかを検知することでスイッチの溶着などの故障を検知して、ヒーターの温度を上昇させることなくヒーターへの電力供給を停止する機構をもった除湿機は発明されていない（例えば、特許文献１参照）。
【０００４】
以下、その除湿機について説明する。第一段の保護装置であるサーミスタと第二段の保護装置である温度ヒューズとを備えた構造となっている。第一段の保護装置であるサーミスタは、ヒーターの温度上昇によりヒーターのスイッチをＯＦＦする保護装置である。第二段の保護装置である温度ヒューズは、スイッチの溶着などの故障により、さらにヒーターの温度が上昇した場合に、温度ヒューズを溶断させてヒーターへの電力供給を停止する保護装置である。
【特許文献１】特開２００３−２４０２６４号公報
【発明の開示】
【発明が解決しようとする課題】
【０００５】
このような従来の方法では、ヒーターに電力を供給するスイッチが溶着などの故障をした場合、ヒーターの温度上昇を検知できてもスイッチは一つしかなく、ヒーターへの電力供給を停止できないために、ヒーターは温度ヒューズが溶断する温度まで上昇することになる。この場合、安全装置である温度ヒューズの温度設定は不安全にならない温度に設定されているにもかかわらず、温度ヒューズを溶断させてしまうことになるので、ヒーターに電力を供給するスイッチの交換だけではなく、ヒーター付近に取り付けてある温度ヒューズなどの他部品まで交換することが必要になる。
【０００６】
本発明は、このような従来の課題を解決するものであり、ヒーターに電力を供給するスイッチを複数用いて、これらのスイッチに時間差を設けて動作させ、その毎にヒーターに流れる電流を確認することでスイッチの溶着などを検知することが可能となる。さらに、残りの正常なスイッチによりヒーターへの電力供給を停止することで、ヒーターの温度を安全装置である温度ヒューズが溶断する温度まで上昇させることなく、異常を使用者に知らせることができ、修理時に余分な部品の変更をする必要のない除湿機を提供することを目的としている。
【課題を解決するための手段】
【０００７】
本発明は上記目的を達成するために、ヒーターに電力を供給する複数のスイッチと、前記ヒーターに流れる電流値を検知する電流検知センサと、前記複数のスイッチに異常があることを知らせる異常報知表示手段と、前記電流検知センサにより検知された前記ヒーターに流れる電流値と前記複数のスイッチのＯＮ／ＯＦＦから前記複数のスイッチに異常があるかどうかを判断し異常があると判断した場合には前記異常報知表示手段を動作させる制御部とを備えた構成としたものである。
【０００８】
この手段により、複数のスイッチを順番にＯＮする毎にヒーターに電流が流れるかどうかを確認してスイッチの溶着などの故障を検知し、ヒーターの温度を安全装置である温度ヒューズを溶断させる温度まで上昇させることなく、ヒーターへの電力供給を停止することができる除湿機が得られる。
【０００９】
さらに、ヒーターの両側に電力を供給するスイッチがあることを特徴としたものである。
【００１０】
この手段により、除湿機に商用電源が投入された状態で停止しているとき、ヒーターを電源から切り離すことができる除湿機が得られる。
【００１１】
さらに、ヒーターの片側に電力を供給する複数のスイッチがあることを特徴としたものである。
【００１２】
この手段により、ヒーターに電力を供給するスイッチが溶着してヒーターの温度を温度ヒューズなどの安全装置が働く温度まで上昇させることを極めて低くすることができる除湿機が得られる。
【００１３】
さらに、ヒーターに電力を供給する複数のスイッチに常時ＯＮと常時ＯＦＦが混在することを特徴としたものである。
【００１４】
この手段により、ヒーターに電力を供給するスイッチの数より操作しなければならないスイッチの数を少なくすることができる除湿機が得られる。
【００１５】
さらに、ヒーターに電力を供給する毎に複数のスイッチのＯＮする順番を変え、最後のスイッチがＯＮする前に前記ヒーターに電流が流れたことを電流検知センサで検知した場合には、前記複数のスイッチのすべてをＯＦＦし、さらに異常報知表示手段により異常を知らせることを特徴としたものである。
【００１６】
この手段により、ヒーターに電力供給をするときにスイッチの故障を検知することができる除湿機が得られる。
【００１７】
さらに、ヒーターの電力供給を停止する毎に複数のスイッチのＯＦＦする順番を変え、最初のスイッチをＯＦＦした直後に電流検知センサで検知している前記ヒーターに流れている電流値が減少しない場合は、残りのスイッチのすべてをＯＦＦし、さらに異常報知表示手段により異常を知らせることを特徴としたものである。
【００１８】
この手段により、ヒーターへの電力供給を停止するときにスイッチの溶着などの故障を検知することができる除湿機が得られる。
【００１９】
さらに、商用電源が供給された直後にヒーターに電流が流れるかどうかを判定して、電流が流れた場合には異常報知表示手段により異常を知らせることを特徴としたものである。
【００２０】
この手段により、商用電源から除湿機への電源投入時にスイッチの溶着などの故障を検知することができる除湿機が得られる。
【００２１】
さらに、異常を知らせた後は、ヒーターに電力を供給しないようにすることを特徴としたものである。
【００２２】
この手段により、スイッチに溶着などの故障が発生した場合は、ヒーターに電力を供給しない除湿機が得られる。
【００２３】
さらに、電流検知センサにホールセンサを用いることを特徴としたものである。
【００２４】
この手段により、ヒーターに流れる電流を間接的に検知することができる除湿機が得られる。
【００２５】
さらに、スイッチにリレーを用いることを特徴としたものである。
【００２６】
この手段により、ヒーターに電力を供給する複数のスイッチに常時ＯＮと常時ＯＦＦのスイッチを混在させることができる除湿機が得られる。
【００２７】
さらに、制御部にマイコンを用いることを特徴としたものである。
【００２８】
この手段により、ヒーターに流れる電流値とヒーターへの電力を供給する複数のスイッチとを連動して操作する制御方法の実現を容易にすることができる除湿機が得られる。
【００２９】
さらに、異常報知表示手段にＬＥＤを用いることを特徴としたものである。
【００３０】
この手段により、除湿機に発生した異常を使用者の視覚に働きかけて知らせることができる除湿機が得られる。
【００３１】
さらに、異常報知表示手段にブザーを用いることを特徴としたものである。
【００３２】
この手段により、除湿機に発生した異常を使用者の聴覚に働きかけて知らせることができる除湿機が得られる。
【発明の効果】
【００３３】
本発明によれば、ヒーターに電力を供給するときにヒーターに電力を供給するスイッチの溶着などの故障を検知して、安全装置の温度ヒューズが溶断する温度までヒーターの温度を上昇させることなく、ヒーターへの電力供給を中止してスイッチの異常を光や音などで知らせることができる除湿機が得られる。
【００３４】
また、ヒーターへの電力供給を停止するときにヒーターに電力を供給するスイッチが溶着などの故障をしていることを検知して、安全装置の温度ヒューズが溶断する温度までヒーターの温度を上昇させることなく、ヒーターへの電力供給を停止してスイッチの異常を光や音などで知らせることができる除湿機が得られる。
【発明を実施するための最良の形態】
【００３５】
本発明の請求項１記載の発明は、ヒーターに電力を供給する複数のスイッチと、前記ヒーターに流れる電流値を検知する電流検知センサと、前記複数のスイッチに異常があることを知らせる異常報知表示手段と、前記電流検知センサにより検知された前記ヒーターに流れる電流値と前記複数のスイッチのＯＮ／ＯＦＦから前記複数のスイッチに異常があるかどうかを判断し異常があると判断した場合には前記異常報知表示手段を動作させる制御部とを備えた構成とする。この構成により、複数のスイッチを順番にＯＮする毎にヒーターに電流が流れるかどうかを確認してスイッチの溶着などの故障を検知し、ヒーターの温度を安全装置である温度ヒューズを溶断させる温度まで上昇させることなく、ヒーターへの電力供給を停止することができるという作用を有する。
【００３６】
また、ヒーターの両側に電力を供給するスイッチがあることを特徴とした構成とし、除湿機に商用電源が投入された状態で停止しているとき、ヒーターを電源から切り離すことができるという作用を有する。
【００３７】
また、ヒーターの片側に電力を供給する複数のスイッチがあることを特徴とした構成とし、ヒーターに電力を供給するスイッチが溶着してヒーターの温度を温度ヒューズなどの安全装置が働く温度まで上昇させることを極めて低くすることができるという作用を有する。
【００３８】
また、ヒーターに電力を供給する複数のスイッチに常時ＯＮと常時ＯＦＦが混在することを特徴とし、ヒーターに電力を供給するスイッチの数より操作しなければならないスイッチの数を少なくすることができるという作用を有する。
【００３９】
また、ヒーターに電力を供給する毎に複数のスイッチのＯＮする順番を変え、最後のスイッチがＯＮする前に前記ヒーターに電流が流れたことを電流検知センサで検知した場合には、前記複数のスイッチのすべてをＯＦＦし、さらに異常報知表示手段により異常を知らせることを特徴とし、ヒーターに電力供給をするときにスイッチの故障を検知することができるという作用を有する。
【００４０】
また、ヒーターの電力供給を停止する毎に複数のスイッチのＯＦＦする順番を変え、最初のスイッチをＯＦＦした直後に電流検知センサで検知している前記ヒーターに流れている電流値が減少しない場合は、残りのスイッチのすべてをＯＦＦし、さらに異常報知表示手段により異常を知らせることを特徴とし、ヒーターへの電力供給を停止するときにスイッチの溶着などの故障を検知することができるという作用を有する。
【００４１】
また、商用電源が供給された直後にヒーターに電流が流れるかどうかを判定して、電流が流れた場合には異常報知表示手段により異常を知らせることを特徴とし、商用電源から除湿機への電源投入時にスイッチの溶着などの故障を検知することができるという作用を有する。
【００４２】
また、異常を知らせた後は、ヒーターに電力を供給しないようにすることを特徴とし、スイッチに溶着などの故障が発生した場合は、ヒーターに電力を供給しないという作用を有する。
【００４３】
また、電流検知センサにホールセンサを用いることを特徴とした構成とし、ヒーターに流れる電流を間接的に検知することができるという作用を有する。
【００４４】
また、スイッチにリレーを用いることを特徴とした構成とし、ヒーターに電力を供給する複数のスイッチに常時ＯＮと常時ＯＦＦのスイッチを混在させることができるという作用を有する。
【００４５】
また、制御部にマイコンを用いることを特徴とした構成とし、ヒーターに流れる電流値とヒーターへの電力を供給する複数のスイッチとを連動して操作する制御方法の実現を容易にすることができるという作用を有する。
【００４６】
また、異常報知表示手段にＬＥＤを用いることを特徴とした構成とし、除湿機に発生した異常を使用者の視覚に働きかけて知らせることができるという作用を有する。
【００４７】
また、異常報知表示手段にブザーを用いることを特徴とした構成とし、除湿機に発生した異常を使用者の聴覚に働きかけて知らせることができるという作用を有する。
【００４８】
以下、本発明の実施の形態について図面を参照しながら説明する。
【００４９】
（実施の形態１）
図１に示すように、本発明の除湿機は、ヒーター１に電力を供給するスイッチ２Ａとスイッチ２Ｂと、ヒーター１に流れる電流を検知する電流検知センサ３と、スイッチ２Ａまたはスイッチ２Ｂに異常があることを知らせる異常報知表示手段４と、電流検知センサ３により検知されたヒーター１に流れる電流とスイッチ２Ａとスイッチ２ＢのＯＮ／ＯＦＦからスイッチ２Ａまたはスイッチ２Ｂに異常があるかどうかを判断し異常があると判断した場合には異常報知表示手段４を動作させる制御部５とを備えたものである。
【００５０】
上記のように構成した除湿機について、ヒーターに電力を供給するときのスイッチの制御について、図１から図４を参照しながら説明する。
【００５１】
商用電源６から除湿機の電源プラグ７を介して除湿機に電力が供給された後に制御部５で以下の制御を行う。
【００５２】
図２に示すようにＮ個のスイッチをスイッチ１からスイッチＮに割り当て、スイッチのＯＮ順序がスイッチ番号と同一となるように設定する。図１は２個のスイッチを使用した場合であるので、スイッチ１にスイッチ２Ａをスイッチ２にスイッチ２Ｂを割り当て、スイッチ３以降の割り付けはなくスイッチ総数は２となる。
【００５３】
除湿機を運転してヒーター１に電力を供給する場合、図３に示すようにスイッチ１に割り付けられているスイッチ２ＡをＯＮし、電流検知センサ３でヒーター１に流れる電流Ｉ１を検知してスイッチ番号とスイッチ総数を比較する。図１の構成の場合、スイッチ総数は２でありスイッチ番号がスイッチ総数より小さくなるので、ヒーター１に電流が流れた場合は、スイッチ２Ｂが溶着などの故障をしていると判断して、スイッチ２Ａを即座にＯＦＦし異常報知表示手段４により異常を使用者に知らせてヒーター１のＯＮを禁止する。逆にヒーター１に電流が流れなければ、スイッチ番号を一つ繰り上げてスイッチ２のスイッチ２ＢをＯＮし、電流検知センサ３でヒーター１に流れる電流Ｉ１を検知してスイッチ番号とスイッチ総数を比較する。図１の構成の場合、スイッチ総数は２でありスイッチ番号とスイッチ総数が一致するので、ヒーター１に電流が流れなかった場合は、スイッチ２Ａもしくはスイッチ２Ｂが故障していると判断して、異常報知表示手段４により異常を使用者に知らせてヒーター１のＯＮを禁止する。逆にヒーター１に電流が流れれば正常にヒーター１がＯＮしたと判断する。そして、次回、ヒーターに電力を供給するときのスイッチをＯＮする順序を図４に示すように、スイッチ名称に割り付けられるスイッチ番号とスイッチのＯＮ順序を一つだけずらすように変更する。図１の構成の場合、スイッチは２個であるため、スイッチ１にスイッチ２Ｂをスイッチ２にスイッチ２Ａを割り当てることになり、スイッチのＯＮする順番が入れ替わるこことになる。そして、次回にヒーター１に電力を供給するときには、スイッチ２Ｂが最後にＯＮすることになり、どちらかかのスイッチだけの溶着などの故障を偏って確認することなく、二つのスイッチを同等に確認することが可能となる。
【００５４】
このように複数のスイッチをＯＮする毎にヒーターに流れる電流を検知し、複数のスイッチが正常にＯＮしたことを確認した後、次回にＯＮするスイッチの順番を変更することで、ヒーター１に電力を供給するときにスイッチの溶着などの故障を検知してヒーターへの電力供給を中止し使用者に異常を知らせることができる除湿機が得られる。
【００５５】
ここでは、スイッチの数が２個のときのヒーターへ電力を供給する制御方法を説明したが、複数のスイッチを順番にＯＮし、スイッチがＯＮした直後にヒーターに電流が流れるかどうかを検知して確認することによって、スイッチの異常を検知する制御方法であれば、スイッチの数やその制御方法には限定されず、その作用効果に差異は生じない。
【００５６】
また、図には示していないが、ヒーターの片側に複数のスイッチがある構成であっても、複数のスイッチを順番にＯＮし、スイッチがＯＮした直後にヒーターに電流が流れるかどうかを検知して確認することによりスイッチの異常を検知する構成であれば、スイッチの場所や数には限定されず、その作用効果に差異は生じない。
【００５７】
また、図には示していないが、電流検知センサ３にホールセンサを用いれば、ヒーターに電力を供給する電線から間接的に検知することが可能となる。ここでは、電流センサにホールセンサを用いた説明をしているが、電流を検知するものであれば検知するセンサの種類には限定されず、その作用効果に差異は生じない。
【００５８】
また、図には示していないが、ヒーターのスイッチにリレーを用いれば、常時ＯＮスイッチと常時ＯＦＦスイッチの混在が可能となり、また操作するスイッチの数をスイッチの総数よりも少なくすることができる。ここでは、スイッチとしてリレーを用いた説明をしているが、電力を供給したり停止したりする機能を有するものであれば、その作用効果に差異は生じない。
【００５９】
また、図には示していないが、異常報知表示手段４にＬＥＤを使用すれば、使用者の視覚に異常を知らせることができる。ここでは、異常報知表示手段にＬＥＤを用いて説明をしているが、液晶表示などの光を利用して人の視覚に異常を知らせるものであれば、その作用効果に差異は生じない。
【００６０】
また、図には示していないが、異常報知表示手段４にブザーを使用すれば、使用者の聴覚に異常を知らせることができる。ここでは、異常報知表示手段にブザーを用いて説明をしているが、スピーカーなどの音を利用して人の聴覚に異常を知らせるものであれば、その作用効果に差異は生じない。
【００６１】
また、図には示していないが、制御部５にマイコンを用いれば、少ない部品点数で制御することが可能となる。しかい、スイッチのＯＮと電流検知を組み合わせてスイッチの故障を検知して異常を知らせる制御を行うのであれば、その作用効果に差異は生じない。
【００６２】
次に同様の構成の除湿機について、ヒーターの電力供給を停止するときのスイッチの制御について、図１と図５から図７を参照しながら説明する。
【００６３】
商用電源６から除湿機の電源プラグ７を介して除湿機に電力が供給された後に制御部５で以下の制御を行う。
【００６４】
図５に示すようにＭ個のスイッチをスイッチ１からスイッチＭに割り当て、スイッチのＯＦＦ順序がスイッチ番号と同一となるように設定する。図１は２個のスイッチを使用した場合であるので、スイッチ１にスイッチ２Ａをスイッチ２にスイッチ２Ｂを割り当て、スイッチ３以降の割り付けはなくスイッチ総数は２となる。
【００６５】
除湿機を停止してヒーター１の電力供給を停止する場合、図６に示すようにスイッチ１に割り付けられているスイッチ２ＡをＯＦＦし、電流検知センサ３でヒーター１の電流Ｉ２を検知してヒーター１に流れる電流が停止するかどうかを確認する。ヒーター１の電流が停止しない場合、スイッチ２Ａが溶着などの故障をしていると判断して、スイッチ２Ｂを即座にＯＦＦし異常報知表示手段４により異常を使用者に知らせてヒーター１のＯＮを禁止する。ヒーター１の電流が停止した場合は、ヒーター１が正常にＯＦＦしたと判断して、次回にヒーター１の電力供給を停止するときのスイッチのＯＦＦする順序を図７に示すように、スイッチ名称に割り付けられるスイッチ番号とスイッチのＯＦＦ順序を一つだけずらすように変更する。２個のスイッチの場合は、スイッチ１にスイッチ２Ｂがスイッチ２にスイッチ２Ａが割り当てられる。そして、次回にヒーター１の電力供給を停止するときには、スイッチ２Ｂが最初にＯＦＦされることとなり、スイッチ２Ｂの溶着などの故障を検知することが可能となる。
【００６６】
このように複数のスイッチを用いて最初のスイッチをＯＦＦした直後に、ヒーターに流れていた電流が停止したことを確認し、すべてのスイッチをＯＦＦした後、次回最初にＯＦＦするスイッチの順番を変更することにより、ヒーターへの電力供給を停止するときにスイッチの溶着などの故障を検知し、さらにヒーターへの電力供給を他のスイッチで中止して使用者に異常を知らせることができる除湿機が得られる。
【００６７】
ここでは、スイッチ数２個のときのヒーターへの電力供給を停止する制御方法を説明したが、複数のスイッチを順番にＯＦＦし、スイッチがＯＦＦした直後にヒーターに流れる電流が停止するかどうかを検知して確認することによって、スイッチの異常を検知する制御方法であれば、スイッチの数やその制御方法には限定されず、その作用効果に差異は生じない。
【００６８】
また、図には示していないが、ヒーターの片側に複数のスイッチがある構成であっても、複数のスイッチの一つをＯＦＦし、スイッチがＯＦＦした直後にヒーターに流れる電流が停止するかどうかを検知して確認することによって、スイッチの異常を検知する構成であれば、スイッチの場所や数には限定されず、その作用効果に差異は生じない。
【００６９】
また、図には示していないが、電流検知センサ３にホールセンサを用いれば、ヒーターに電力を供給する電線から間接的に検知することが可能となる。ここでは、電流センサにホールセンサを用いた説明をしているが、電流を検知するものであれば検知するセンサの種類には限定されず、その作用効果に差異は生じない。
【００７０】
また、図には示していないが、ヒーターのスイッチにリレーを用いれば、常時ＯＮスイッチと常時ＯＦＦスイッチの混在が可能となり、また操作するスイッチの数をスイッチの総数よりも少なくすることができる。ここでは、スイッチとしてリレーを用いた説明をしているが、電力を供給したり停止したりする機能を有するものであれば、その作用効果に差異は生じない。
【００７１】
また、図には示していないが、異常報知表示手段４にＬＥＤを使用すれば、使用者の視覚に異常を知らせることができる。ここでは、異常報知表示手段にＬＥＤを用いて説明をしているが、液晶表示などの光を利用して人の視覚に異常を知らせるものであれば、その作用効果に差異は生じない。
【００７２】
また、図には示していないが、異常報知表示手段４にブザーを使用すれば、使用者の聴覚に異常を知らせることができる。ここでは、異常報知表示手段にブザーを用いて説明をしているが、スピーカーなどの音を利用して人の聴覚に異常を知らせるものであれば、その作用効果に差異は生じない。
【００７３】
また、図には示していないが、制御部５にマイコンを用いれば、少ない部品点数で制御することが可能となる。しかい、スイッチのＯＦＦと電流検知を組み合わせてスイッチの故障を検知して異常を知らせる制御を行うのであれば、その作用効果に差異は生じない。
【００７４】
また、同様の構成の除湿機について、除湿機に商用電源から電力が供給された直後にスイッチの故障について確認するスイッチの制御について、図１と図８を参照しながら説明する。
【００７５】
商用電源６から除湿機の電源プラグ７を介して除湿機に電力が供給された後に制御部５で以下の制御を行う。
【００７６】
図８に示すように、除湿機に電源が供給されたら電流検知センサ３でヒーター１に流れる電流Ｉ３を検知して、ヒーター１に電流が流れるかどうかを確認する。ヒーター１に電流が流れた場合は、ヒーター１もしくはスイッチ２Ａもしくはスイッチ２Ｂに異常があると判断して、すべてのスイッチをヒーター１への電力供給を遮断するように操作し、異常報知表示手段４で使用者に異常を知らせてヒーター１のＯＮを禁止する制御を行う。
【００７７】
ここでのスイッチは、ヒーターに電力を供給したり停止したりするスイッチのことを意味しており、除湿機の運転を開始したり停止したりするスイッチを意味するものではない。
【００７８】
ここでは、スイッチが２個の場合の説明となっているが、除湿機の電源プラグを商用電源に差し込んだ直後にヒーターに電流が流れるかどうかを検知して確認する方法であれば、スイッチの数や制御方法には限定されず、その作用効果に差異は生じない。
【００７９】
また、図には示していないが、電流検知センサ３にホールセンサを用いれば、ヒーターに電力を供給する電線から間接的に検知することが可能となる。ここでは、電流センサにホールセンサを用いた説明をしているが、電流を検知するものであれば検知するセンサの種類には限定されず、その作用効果に差異は生じない。
【００８０】
また、図には示していないが、ヒーターのスイッチにリレーを用いれば、常時ＯＮスイッチと常時ＯＦＦスイッチの混在が可能となり、また操作するスイッチの数をスイッチの総数よりも少なくすることができる。ここでは、スイッチとしてリレーを用いた説明をしているが、電力を供給したり停止したりする機能を有するものであれば、その作用効果に差異は生じない。
【００８１】
また、図には示していないが、異常報知表示手段４にＬＥＤを使用すれば、使用者の視覚に異常を知らせることができる。ここでは、異常報知表示手段にＬＥＤを用いて説明をしているが、液晶表示などの光を利用して人の視覚に異常を知らせるものであれば、その作用効果に差異は生じない。
【００８２】
また、図には示していないが、異常報知表示手段４にブザーを使用すれば、使用者の聴覚に異常を知らせることができる。ここでは、異常報知表示手段にブザーを用いて説明をしているが、スピーカーなどの音を利用して人の聴覚に異常を知らせるものであれば、その作用効果に差異は生じない。
【００８３】
また、図には示していないが、制御部５にマイコンを用いれば、少ない部品点数で制御することが可能となる。しかい、スイッチのＯＦＦと電流検知を組み合わせてスイッチの故障を検知して異常を知らせる制御を行うのであれば、その作用効果に差異は生じない。
【００８４】
また、ヒーターに電力を供給するときとヒーターの電力供給を停止するときと除湿機への電源等投入時と分けて説明しているが、これらの制御を組み合わせて利用してもスイッチのＯＮ／ＯＦＦ時や電源投入時にヒーターに流れる電流を検知してスイッチの故障を検知する方法であれば、その作用効果に差異は生じない。
【００８５】
（実施の形態２）
実施の形態１と同一部分は同一番号を付し、詳細な説明は省略する。図９に示すように、本発明の除湿機は、常時開スイッチ８と常時閉スイッチ９とを備えたものである。常時開スイッチ８は、スイッチ操作をしないときは常時不導通となっているスイッチであり、常時閉スイッチ９は、スイッチ操作をしないときは常時導通しているスイッチである。
【００８６】
上記のように構成した除湿機のヒーターの電力を供給するスイッチの制御について、図８と図９を参照しながら説明する。
【００８７】
図９に示すように除湿機に商用電源６から電源プラグ７を介して電力が供給された直後、図８に示すように電流検知センサ３からヒーター１に流れる電流Ｉ３を検知し、ヒーター１に電流が流れていれば、除湿機に電力を投入した直後に常時開スイッチ８が溶着などの故障をしていると判断し、常時閉スイッチ９によりスイッチをＯＦＦしてヒーター１への電力を遮断して、異常報知表示手段４により使用者に異常を知らせることができる除湿機が得られる。
【００８８】
また、図９に示すような構成であれば、ヒーター１に電力供給をしているときのスイッチ操作は常時開スイッチ８のみを行えば良いため、ヒーター１への電力を供給しているときのスイッチ操作の数は、スイッチを１個使用しているときと同じになり、省エネルギーな制御が可能となる。
【００８９】
ここでのスイッチは、ヒーターに電力を供給したり停止したりするスイッチのことを意味しており、除湿機の運転を開始したり停止したりするスイッチを意味するものではない。
【００９０】
ここでは、スイッチが２個の場合の説明となっているが、除湿機の電源プラグを商用電源に差し込んだ直後にヒーターに電流が流れるかどうかを検知して確認する方法であれば、スイッチの数や制御方法には限定されず、その作用効果に差異は生じない。
【００９１】
また、図には示していないが、電流検知センサ３にホールセンサを用いれば、ヒーターに電力を供給する電線から間接的に検知することが可能となる。ここでは、電流センサにホールセンサを用いた説明をしているが、電流を検知するものであれば検知するセンサの種類には限定されず、その作用効果に差異は生じない。
【００９２】
また、図には示していないが、ヒーターのスイッチにリレーを用いれば、常時ＯＮスイッチと常時ＯＦＦスイッチの混在が可能となり、また操作するスイッチの数をスイッチの総数よりも少なくすることができる。ここでは、スイッチとしてリレーを用いた説明をしているが、電力を供給したり停止したりする機能を有するものであれば、その作用効果に差異は生じない。
【００９３】
また、図には示していないが、異常報知表示手段４にＬＥＤを使用すれば、使用者の視覚に異常を知らせることができる。ここでは、異常報知表示手段にＬＥＤを用いて説明をしているが、液晶表示などの光を利用して人の視覚に異常を知らせるものであれば、その作用効果に差異は生じない。
【００９４】
また、図には示していないが、異常報知表示手段４にブザーを使用すれば、使用者の聴覚に異常を知らせることができる。ここでは、異常報知表示手段にブザーを用いて説明をしているが、スピーカーなどの音を利用して人の聴覚に異常を知らせるものであれば、その作用効果に差異は生じない。
【００９５】
また、図には示していないが、制御部５にマイコンを用いれば、少ない部品点数で制御することが可能となる。しかい、スイッチのＯＦＦと電流検知を組み合わせてスイッチの故障を検知して異常を知らせる制御を行うのであれば、その作用効果に差異は生じない。
【００９６】
また、ここでは電源投入時のスイッチの溶着などの故障を検知する方法を説明しているが、スイッチのＯＮ／ＯＦＦ時にヒーターに流れる電流を検知してスイッチの故障を検知する方法との併用であっても、その作用効果に差異は生じない。
【産業上の利用可能性】
【００９７】
本発明の除湿機の制御は、一般家電用電化製品のヒーターなどの制御などの用途にも適用できる。
【図面の簡単な説明】
【００９８】
【図１】本発明の実施の形態１の除湿機の構成図
【図２】同スイッチのＯＮする順序を示す図
【図３】同スイッチをＯＮするときのスイッチの異常を検知するフローチャート
【図４】同スイッチのＯＮする順序変更を示す図
【図５】同スイッチのＯＦＦする順序を示す図
【図６】同スイッチをＯＦＦするときのスイッチの異常を検知するフローチャート
【図７】同スイッチのＯＦＦする順序変更のテーブルを示す図
【図８】同スイッチの電源投入時の異常を検知するフローチャート
【図９】本発明の実施の形態２の除湿機の構成図
【符号の説明】
【００９９】
１    ヒーター
２Ａ  スイッチ
２Ｂ  スイッチ
３    電流検知センサ
４    異常報知表示手段
５    制御部
６    商用電源
７    電源プラグ
８    常時開スイッチ
９    常時閉スイッチ
【図１】
2008218136.tif 000003
【図２】
2008218136.tif 000004
【図３】
2008218136.tif 000005
【図４】
2008218136.tif 000006
【図５】
2008218136.tif 000007
【図６】
2008218136.tif 000008
【図７】
2008218136.tif 000009
【図８】
2008218136.tif 000010
【図９】
2008218136.tif 000011